(57)【要約】【課題】ユーザの必要に応じて柔軟に対応し、ユーザの欲する光配線を容易に実現する。【解決手段】任意の２つのフロア間の接続が可能となるように複数の心線からなる幹線光ケーブル１１を敷設し、各フロアを分割した支線ブロック毎に支線光ケーブル１２を敷設し、フロア毎に配置された幹線光キャビネット１３に、幹線光ケーブル１１を収容すると共に配置先のフロアに敷設された支線光ケーブル１２を収容し、各フロアの支線ブロック毎に配置された支線光キャビネット１４に、配置先の支線ブロックに敷設された支線光ケーブル１２を収容する。ユーザの必要に応じて、幹線光ケーブル１１と支線光ケーブル１２とを幹線光キャビネット１３で接続し、支線ブロックの通信装置と支線ブロックに敷設された支線光ケーブル１２とを支線光キャビネットで接続する。【選択図】  図１
2005234216.tif 000002
【特許請求の範囲】
【請求項１】
建物内に光ケーブルを敷設する構内配線方法において、
任意の２つのフロア間の接続が可能となるように複数の心線からなる幹線光ケーブルを敷設し、
各フロアを分割した支線ブロック毎に支線光ケーブルを敷設し、
フロア毎に配置された幹線光キャビネットに、前記幹線光ケーブルの一端もしくは途中部分を収容すると共に配置先のフロアに敷設された前記支線光ケーブルの一端を収容し、
各フロアの支線ブロック毎に配置された支線光キャビネットに、配置先の支線ブロックに敷設された前記支線光ケーブルの他端を収容することを特徴とする構内配線方法。
【請求項２】
請求項１記載の構内配線方法において、
ユーザの必要に応じて、前記幹線光ケーブルと前記支線光ケーブルとを前記幹線光キャビネットで接続し、前記支線ブロックに配置された通信装置とこの支線ブロックに敷設された支線光ケーブルとを前記支線光キャビネットで接続することを特徴とする構内配線方法。
【請求項３】
任意の２つのフロア間に亘って予め敷設された複数の心線からなる幹線光ケーブルと、
各フロアを分割した支線ブロック毎に予め敷設された支線光ケーブルと、
フロア毎に配置され、前記幹線光ケーブルの一端もしくは途中部分を収容すると共に、自身のフロアに敷設された前記支線光ケーブルの一端を収容し、前記収容した幹線光ケーブルと支線光ケーブルとの接続を可能にする幹線光キャビネットと、
各フロアの支線ブロック毎に配置され、自身の支線ブロックに敷設された前記支線光ケーブルの他端を収容し、この支線光ケーブルと自身の支線ブロックに配置された通信装置との接続を可能にする支線光キャビネットとを備えることを特徴とする構内ネットワークシステム。
【請求項４】
請求項３記載の構内ネットワークシステムにおいて、
ユーザの必要に応じて、前記幹線光ケーブルと前記支線光ケーブルとを前記幹線光キャビネットで接続し、前記支線ブロックに配置された通信装置とこの支線ブロックに敷設された支線光ケーブルとを前記支線光キャビネットで接続することを特徴とする構内ネットワークシステム。
【発明の詳細な説明】
【技術分野】
【０００１】
本発明は、建物内に通信用の光ケーブルを敷設する構内配線方法および構内ネットワークシステムに関するものである。
【背景技術】
【０００２】
従来、光ケーブルを使用してビル等の建物内の各フロアへ光配線を実施するためには、建物の上下方向に光ケーブルを布設し、この光ケーブルを各フロアの光接続箱で分岐させて、各フロアの通信装置に配線していた（例えば、非特許文献１参照）。
【０００３】
なお、出願人は、本明細書に記載した先行技術文献情報で特定される先行技術文献以外には、本発明に関連する先行技術文献を出願時までに発見するには至らなかった。
【非特許文献１】「光接続箱・ＳＰＥシリーズ」，光接続箱・ＨＵＢ収納キャビネットシステムラックカタログ，日東工業株式会社，平成１５年５月，ｐ．１６
【発明の開示】
【発明が解決しようとする課題】
【０００４】
従来の構内配線方法では、予め接続先の決まっている光ケーブルが建物の上下方向に敷設されており、この光ケーブルをコネクタによって光接続箱に接続し、光コードを介してフロアの通信装置と光接続箱とを接続することにより、光ケーブルと通信装置との接続を実現していた。このため、従来の構内配線方法では、予め決定されているフロア間やフロア内でしか光配線を実現することができず、当初の予定にない接続を実現するには、光ケーブルを改めて敷設しなければならない可能性があった。
本発明は、上記課題を解決するためになされたもので、ユーザの必要に応じて柔軟に対応し、ユーザの欲する光配線を容易に実現することができる構内配線方法および構内ネットワークシステムを提供することを目的とする。
【課題を解決するための手段】
【０００５】
本発明は、建物内に光ケーブルを敷設する構内配線方法において、任意の２つのフロア間の接続が可能となるように複数の心線からなる幹線光ケーブルを敷設し、各フロアを分割した支線ブロック毎に支線光ケーブルを敷設し、フロア毎に配置された幹線光キャビネットに、前記幹線光ケーブルの一端もしくは途中部分を収容すると共に配置先のフロアに敷設された前記支線光ケーブルの一端を収容し、各フロアの支線ブロック毎に配置された支線光キャビネットに、配置先の支線ブロックに敷設された前記支線光ケーブルの他端を収容するようにしたものである。
また、本発明の構内配線方法の１構成例は、ユーザの必要に応じて、前記幹線光ケーブルと前記支線光ケーブルとを前記幹線光キャビネットで接続し、前記支線ブロックに配置された通信装置とこの支線ブロックに敷設された支線光ケーブルとを前記支線光キャビネットで接続するようにしたものである。
【０００６】
また、本発明の構内ネットワークシステムは、任意の２つのフロア間に亘って予め敷設された複数の心線からなる幹線光ケーブルと、各フロアを分割した支線ブロック毎に予め敷設された支線光ケーブルと、フロア毎に配置され、前記幹線光ケーブルの一端もしくは途中部分を収容すると共に、自身のフロアに敷設された前記支線光ケーブルの一端を収容し、前記収容した幹線光ケーブルと支線光ケーブルとの接続を可能にする幹線光キャビネットと、各フロアの支線ブロック毎に配置され、自身の支線ブロックに敷設された前記支線光ケーブルの他端を収容し、この支線光ケーブルと自身の支線ブロックに配置された通信装置との接続を可能にする支線光キャビネットとを備えるものである。
また、本発明の構内ネットワークシステムの１構成例は、ユーザの必要に応じて、前記幹線光ケーブルと前記支線光ケーブルとを前記幹線光キャビネットで接続し、前記支線ブロックに配置された通信装置とこの支線ブロックに敷設された支線光ケーブルとを前記支線光キャビネットで接続するようにしたものである。
【発明の効果】
【０００７】
本発明によれば、任意の２つのフロア間の接続が可能となるように複数の心線からなる幹線光ケーブルを敷設し、各フロアを分割した支線ブロック毎に支線光ケーブルを敷設し、フロア毎に配置された幹線光キャビネットに、幹線光ケーブルの一端もしくは途中部分を収容すると共に配置先のフロアに敷設された支線光ケーブルの一端を収容し、各フロアの支線ブロック毎に配置された支線光キャビネットに、配置先の支線ブロックに敷設された支線光ケーブルの他端を収容するようにしたことにより、任意のフロア間および任意のフロア内で光配線を容易に実現することができ、ユーザの必要等に応じて柔軟に対応することができる。
【発明を実施するための最良の形態】
【０００８】
以下、本発明の実施の形態について図面を参照して詳細に説明する。図１は本発明の実施の形態となる構内ネットワークシステムの構成を示すブロック図、図２は図１の構内ネットワークシステムを立体的に表した図である。
本実施の形態の構内ネットワークシステムは、フロア１Ｆ〜４Ｆからなる４階建ての建物内に構築されたものであり、任意の２つのフロア間の接続が無切断で可能となるように予め敷設された複数の心線からなる幹線光ケーブル１１と、各フロア１Ｆ〜４Ｆを分割した支線ブロックＡ〜Ｄ毎に予め敷設された支線光ケーブル１２（１２Ａ−２〜１２Ｄ−２，１２Ａ−３〜１２Ｄ−３，１２Ａ−４〜１２Ｄ−４）と、フロア１Ｆ〜４Ｆ毎に配置され、幹線光ケーブル１１の一端もしくは途中部分を収容すると共に、自身のフロアに敷設された支線光ケーブル１２の一端を収容し、収容した幹線光ケーブル１１と支線光ケーブル１２との接続を可能にする幹線光キャビネット１３（１３−１，１３−２，１３−３，１３−４）と、各フロア１Ｆ〜４Ｆの支線ブロックＡ〜Ｄ毎に配置され、自身の支線ブロックに敷設された支線光ケーブル１２の他端を収容し、この支線光ケーブル１２と自身の支線ブロックに配置されたコンピュータ等の通信装置１０１〜１０４との接続を可能にする支線光キャビネット１４（１４Ａ−２〜１４Ｄ−２，１４Ａ−３〜１４Ｄ−３，１４Ａ−４〜１４Ｄ−４）と、通信装置１０１〜１０４と支線光キャビネット１４とを接続する光コード１５（１５Ｂ−２，１５Ｂ−３，１５Ｃ−３，１５Ｄ−３）とから構成される。
【０００９】
図３は幹線光キャビネット１３の内部構造を示す図である。図３では、幹線光キャビネット１３の内部を透視しているが、光ケーブル１１，１２とそのテープ心線１１０，１２０については実線で表記する。また、図３では、フロアＮに設置された幹線光キャビネット１３の例を示しており、１１−（Ｎ＋１）は上階のフロア（Ｎ＋１）に向かう幹線光ケーブル、１１−（Ｎ−１）は下階のフロア（Ｎ−１）に向かう幹線光ケーブルを示している。
【００１０】
幹線光ケーブル１１は、例えばフロア１Ｆと４Ｆとの間といったように任意の２つのフロア間の接続が可能となるように予め敷設された複数のテープ心線１１０からなる。どのフロア間にどの程度の数のテープ心線１１０を予め敷設しておくかは、例えば過去の配線実績から決定される。
支線光ケーブル１２は、各フロア１Ｆ〜４Ｆの支線ブロックＡ〜Ｄに配置された通信装置１０１〜１０４と幹線光ケーブル１１との接続が可能となるように予め敷設された複数のテープ心線１２０からなる。なお、本実施の形態では、テープ心線１１０，１２０を８心とする。
【００１１】
幹線光キャビネット１３は、幹線光ケーブル１１を収容する幹線収容部１３０と、支線光ケーブル１２を収容する支線収容部１３１と、幹線光ケーブル１１と支線光ケーブル１２とをテープ心線単位で接続するための心線収容棚１３２とを有する。
幹線収容部１３０に収容される幹線光ケーブル１１は、テープ心線１１０毎に幹線収容部１３０から心線収容棚１３２のトレイ１３２０上に引き出されている。幹線光キャビネット１３内には複数の心線収容棚１３２があり、１つの心線収容棚１３２には例えば１０個のトレイ１３２０がある。したがって、１つの心線収容棚１３２には、例えば８×１０＝８０心が収容されることになる。
【００１２】
一方、支線収容部１３１に収容される支線光ケーブル１２のテープ心線１２０は、接続先の幹線光ケーブル１１が未定の場合、保留心線として支線収容部１３１の支線収容ボックス１３１０に収容される。
図３の状態では、幹線光ケーブル１１と支線光ケーブル１２とは、幹線光キャビネット１３に収容されただけであり、幹線光ケーブル１１と支線光ケーブル１２との間は接続されていない。幹線光ケーブル１１と支線光ケーブル１２の接続については後述する。
【００１３】
図４は支線光キャビネット１４の内部構造を示す図である。支線光キャビネット１４は、支線光ケーブル１２を収容する支線収容部１４０と、支線光ケーブル１２と通信装置１０１〜１０４との間を接続する光コード（図４では不図示）を収容するコード収容部１４１と、支線光ケーブル１２のテープ心線１２０を単心線に変換する変換モジュール１４２とを有する。
支線収容部１４０に収容される支線光ケーブル１２のテープ心線１２０は、ＭＴコネクタ１２１によって変換モジュール１４２に接続される。
【００１４】
前述のとおり、支線光キャビネット１４は、各フロア１Ｆ〜４Ｆの支線ブロックＡ〜Ｄ毎に配置される。各フロア１Ｆ〜４Ｆに必要なテープ心線１２０の数は、過去の配線実績からフロア毎に予め決定される。各フロア１Ｆ〜４Ｆのテープ心線１２０を複数の支線ブロックに分配し、分配したときの単位面積当たりの心線数が所定数となるように支線ブロックの数をフロア毎に決定する。図１、図２の例では、フロア２Ｆ〜４Ｆをそれぞれ支線ブロックＡ〜Ｄの４つに分割している。
【００１５】
次に、フロア２Ｆの支線ブロックＢに配置された通信装置１０１とフロア３Ｆの支線ブロックＣに配置された通信装置１０２との間をユーザの必要等に応じて接続する場合について説明する。図５は通信装置１０１と１０２とを接続する配線方法を示す図である。図５の例では、フロア２Ｆの幹線光キャビネット１３−２と支線光キャビネット１４Ｂ−２における接続作業を示している。
【００１６】
まず、フロア２Ｆでは、作業者は、幹線光キャビネット１３の複数の心線収容棚１３２のうち、フロア３Ｆとの間に敷設されたテープ心線１１０が収容されている心線収容棚１３２を開いて、この心線収容棚１３２から該当するテープ心線１１０が載置されたトレイ１３２０を手前に引き出す。さらに、作業者は、支線収容部１３１の支線収容ボックス１３１０に保留心線として収容されているテープ心線１２０をトレイ１３２０の側に引き出す。
【００１７】
そして、作業者は、トレイ１３２０上のテープ心線１１０を図５の「×」印の箇所で切断し、フロア３Ｆへ向かうテープ心線１１０とトレイ１３２０上に引き出したテープ心線１２０とをメカニカルスプライス接続する。こうして、幹線光キャビネット１３−２において、フロア３Ｆに向かう幹線光ケーブル１１とフロア２ＦのブロックＢに敷設された支線光ケーブル１２Ｂ−２とをテープ心線単位で接続する。
【００１８】
次に、作業者は、フロア２ＦのブロックＢに光コード１５Ｂ−２を敷設し、この光コード１５Ｂ−２の一端を通信装置１０１に接続すると共に、光コード１５Ｂ−２の他端に取り付けられたＳＣコネクタ１５１を支線光キャビネット１４Ｂ−２の変換モジュール１４２に装着する。こうして、支線光キャビネット１４Ｂ−２において、支線光ケーブル１２Ｂ−２と光コード１５Ｂ−２とを接続することにより、通信装置１０１を幹線光ケーブル１１と接続する。
【００１９】
フロア３Ｆにおける接続作業も同様であり、作業者は、幹線光キャビネット１３−３の心線収容棚１３２を開いて、フロア２Ｆの支線光ケーブル１２Ｂ−２と接続した幹線光ケーブル１１のテープ心線１１０を、フロア３ＦのブロックＣに敷設された支線光ケーブル１２Ｃ−３のテープ心線１２０と接続する。さらに、作業者は、フロア３ＦのブロックＣに光コード１５Ｃ−３を敷設し、この光コード１５Ｃ−３の一端を通信装置１０２に接続すると共に、光コード１５Ｃ−３の他端に取り付けられたＳＣコネクタ１５１を支線光キャビネット１４Ｃ−３の変換モジュール１４２に装着する。
【００２０】
以上の作業により、フロア２Ｆの通信装置１０１とフロア３Ｆの通信装置１０２とを接続することができる。なお、図５の例では、幹線光ケーブル１１のテープ心線１１０がフロア１Ｆからフロア２Ｆを通ってフロア３Ｆへ敷設されているため、このテープ心線１１０の途中部分をフロア２Ｆの幹線光キャビネット１３−２のところで切断して、フロア３Ｆに向かうテープ心線１１０と支線光ケーブル１２Ｂ−２のテープ心線１２０とを接続しているが、幹線光ケーブル１１のテープ心線１１０の終端を収容している幹線光キャビネット１３の場合には、このテープ心線１１０の終端と支線光ケーブル１２とを接続することになる。
【００２１】
以上のように、本実施の形態では、任意の２つのフロア間の接続が無切断で可能となるように幹線光ケーブル１１を予め敷設すると共に、各フロアの支線ブロック毎に支線光ケーブル１２を予め敷設し、ユーザの必要等に応じて、幹線光ケーブル１１のテープ心線１１０と支線光ケーブル１２のテープ心線１２０とを幹線光キャビネット１３で接続するようにしている。このため、幹線光キャビネット１３に収容している幹線光ケーブル１１のテープ心線１１０を途中部分で切断して支線光ケーブル１２のテープ心線１２０と接続するか、あるいは幹線光キャビネット１３に収容している幹線光ケーブル１１のテープ心線１１０の終端と支線光ケーブル１２のテープ心線１２０とを接続することにより、任意のフロア間および任意のフロア内で光配線を容易に実現することができ、ユーザの必要等に応じて柔軟に対応することができる。
【００２２】
また、本実施の形態によれば、幹線光キャビネット１３の心線収容棚１３２毎に施錠できるようにしたので、配線工事に関係のない心線収容棚１３２については開錠できないようにすることができ、セキュリティの確保が実現できる。
また、配線工事の対象となる心線が載置されたトレイ１３２０のみを心線収容棚１３２から引き出すことで、他の心線には触れないようにすることができ、施工時の安全性および施工性を向上させることができる。
【産業上の利用可能性】
【００２３】
本発明は、情報通信分野における構内配線に適用することができる。
【図面の簡単な説明】
【００２４】
【図１】本発明の実施の形態となる構内ネットワークシステムの構成を示すブロック図である。
【図２】図１の構内ネットワークシステムを立体的に表した図である。
【図３】本発明の実施の形態における幹線光キャビネットの内部構造を示す図である。
【図４】本発明の実施の形態における支線光キャビネットの内部構造を示す図である。
【図５】通信装置間を接続する配線方法を示す図である。
【符号の説明】
【００２５】
１１…幹線光ケーブル、１２…支線光ケーブル、１３…幹線光キャビネット、１４…支線光キャビネット、１５…光コード、１１０、１２０…テープ心線、１２１…ＭＴコネクタ、１３０…幹線収容部、１３１…支線収容部、１３２…心線収容棚、１４０…支線収容部、１４１…コード収容部、１４２…変換モジュール、１５０…２心コード、１５１…ＳＣコネクタ、１３１０…支線収容ボックス、１３２０…トレイ、Ａ〜Ｄ…支線ブロック。
【図１】
2005234216.tif 000003
【図２】
2005234216.tif 000004
【図３】
2005234216.tif 000005
【図４】
2005234216.tif 000006
【図５】
2005234216.tif 000007